(57)【要約】【課題】一つのノズルで拡散と集風が切替え可能であり、集風させた場合に、毛髪全体を乾燥させることが可能なヘアードライヤーを提供する。【解決手段】本発明に係るヘアードライヤー１は、外筒部２１とシャッタ部２２を有するノズル２０を備え、外筒部２１は先端に第１の開口２３が形成された第１のテーパー部２４を有し、第１のテーパー部２４には第１の開口２３を囲むように所定間隔で第１の穴２４ａが形成されており、シャッタ部２２は先端に第２の開口２６が形成された第２のテーパー部２７を有し、第２のテーパー部２７には第２の開口２６を囲むように所定間隔で第２の穴２７ａが形成され、第２のテーパー部２７の内壁に所定間隔で第２の開口２６に通じる流路２９が形成されている。【選択図】図２
2018175575.tif 000002
【特許請求の範囲】
【請求項１】
送出口に装着される外筒部と前記外筒部に接続されるシャッタ部とを有するノズルを備え、
前記外筒部は先端に第１の開口が形成された第１のテーパー部を有し、前記第１のテーパー部には前記第１の開口を囲むように周方向に所定間隔で第１の穴が形成されており、
前記シャッタ部は先端に第２の開口が形成された第２のテーパー部を有し、前記シャッタ部には前記第１のテーパー部を囲む位置に操作リングが設けられ、前記第２のテーパー部には前記第２の開口を囲むように周方向に所定間隔で第２の穴が形成され、前記第２のテーパー部の内壁に周方向に所定間隔で前記第２の開口に通じる流路が形成されており、
前記第２の穴が開通して前記流路が塞がる位置、前記流路が開通して前記第２の穴が塞がる位置、それぞれに前記シャッタ部が回動可能な構成であること
を特徴とするヘアードライヤー。
【請求項２】
前記流路は溝状に形成されており、
前記第２の穴と前記流路とはいずれも前記操作リングと対応する内壁に延設されていること
を特徴とする請求項１記載のヘアードライヤー。
【請求項３】
前記流路は前記第２のテーパー部の内壁に周方向に連通する合流部が形成されていること
を特徴とする請求項１または請求項２記載のヘアードライヤー。
【請求項４】
前記第２のテーパー部の先端はストレート形状となっていること
を特徴とする請求項１〜３のいずれか一項記載のヘアードライヤー。
【請求項５】
前記シャッタ部に接続されるフードをさらに備え、
前記フードは前記第２の開口及び前記第２の穴を囲む位置に配されていること
を特徴とする請求項１〜４のいずれか一項記載のヘアードライヤー。
【発明の詳細な説明】
【技術分野】
【０００１】
本発明は、ヘアードライヤーに関し、さらに詳細には、送出風を切り替え可能なノズルを備えるヘアードライヤーに関する。
【背景技術】
【０００２】
毛髪の乾燥やセット等に用いられるヘアードライヤーに関して、乾燥を行う場合あるいはセットを行う場合等、用途に応じ、ノズルから送出される空気を拡散させるか、または、集風させることのできるヘアードライヤーが知られている。
【０００３】
ここで、上記のようなヘアードライヤーの従来例として、特許文献１：特開平０５−１３０９１５号公報，特許文献２：実用新案登録第３１５６４０４号公報に記載のヘアードライヤーが知られている。
【先行技術文献】
【特許文献】
【０００４】
【特許文献１】特開平０５−１３０９１５号公報
【特許文献２】実用新案登録第３１５６４０４号公報
【発明の概要】
【発明が解決しようとする課題】
【０００５】
ここで、特許文献１と２に例示されるような従来のヘアードライヤーにおいては、シャッタの開閉動作によって、ノズルから送出される空気を拡散（開放）させるか、または、集風させることは可能であるものの、集風させた場合は、拡散させた場合と比較して、送出された空気が毛髪に当たる面積が狭くなるため、毛髪のセットには好適であるが、毛髪全体を乾燥させるには不向きであった。
【０００６】
毛髪全体を乾燥させるためには、送出された空気が毛髪に当たる面積を広くする必要がある。そのため、従来、ノズルから送出される空気を拡散させて使用していたが、拡散させた場合は、集風させた場合と比較して、温風温度が低くなってしまい、外気温が低い場合には不向きであった。
【０００７】
そこで、従来、外気温が低い場合において毛髪全体を乾燥させる際には、ノズルから送出される空気を集風させて温風温度を高くする使い方が多用されていたが、集風させた場合は風が拡散されないため、ヘアードライヤー本体を激しく振って風を毛髪全体に当てる動作を行わなければならず、手首への負担が大きくなる等の問題が生じていた。
【課題を解決するための手段】
【０００８】
本発明は、上記事情に鑑みてなされ、一つのノズルで拡散と集風が切替え可能であり、集風させた場合に、ヘアードライヤー本体を激しく振って風を毛髪全体に当てる動作を行わなくとも、毛髪全体を乾燥させることが可能なヘアードライヤーを提供することを目的とする。
【０００９】
一実施形態として、以下に開示するような解決手段により、前記課題を解決する。
【００１０】
開示のヘアードライヤーは、送出口に装着される外筒部と前記外筒部に接続されるシャッタ部とを有するノズルを備え、前記外筒部は先端に第１の開口が形成された第１のテーパー部を有し、前記第１のテーパー部には前記第１の開口を囲むように周方向に所定間隔で第１の穴が形成されており、前記シャッタ部は先端に第２の開口が形成された第２のテーパー部を有し、前記シャッタ部には前記第１のテーパー部を囲む位置に操作リングが設けられ、前記第２のテーパー部には前記第２の開口を囲むように周方向に所定間隔で第２の穴が形成され、前記第２のテーパー部の内壁に周方向に所定間隔で前記第２の開口に通じる流路が形成されており、前記第２の穴が開通して前記流路が塞がる位置、前記流路が開通して前記第２の穴が塞がる位置、それぞれに前記シャッタ部が回動可能な構成であることを要件とする。
【００１１】
ここで、便宜上、前記第２の穴が開通して前記流路が塞がる位置となった場合を拡散モードと定義し、前記流路が開通して前記第２の穴が塞がる位置となった場合を集風モードと定義する。
【発明の効果】
【００１２】
開示のヘアードライヤーによれば、ノズルから送出される空気を集風させて使用する場合に、送出口から脈動する風（以下、「ビート風」と称する場合がある）を送出させることが可能となる。したがって、髪をなびかせる（髪を揺らす）ことが可能となるため、従来の集風モードと比較して、毛髪全体を乾燥させる作用を飛躍的に高めることが可能となる。
【００１３】
例えば、外気温が低い場合は集風モードとし、外気温が高い場合は拡散モードに切り替えることで、年間を通して、毛髪全体を乾燥させることが短時間かつ容易となる。このように、好みに合った乾燥モードがワンタッチで切り替え可能な構成が実現できる。
【図面の簡単な説明】
【００１４】
【図１】図１は本発明の実施形態に係るヘアードライヤーの例を示す概略図である。
【図２】図２（Ａ）は上記ヘアードライヤーを拡散モードとした場合のノズルの正面図であり、図２（Ｂ）は図２（Ａ）のII−II線断面図である。
【図３】図３（Ａ）は上記ヘアードライヤーを拡散モードとした場合のノズルの側面図であり、図３（Ｂ）は図３（Ａ）のIII−III線断面図である。
【図４】図４（Ａ）は上記ヘアードライヤーを集風モードとした場合のノズルの正面図であり、図４（Ｂ）は図４（Ａ）のIV−IV線断面図である。
【図５】図５（Ａ）は上記ヘアードライヤーを集風モードとした場合のノズルの側面図であり、図５（Ｂ）は図５（Ａ）のV−V線断面図である。
【図６】図６は図１に示すヘアードライヤーのノズルの変形例を示す概略図である。
【図７】図７（Ａ）は上記ノズルの変形例の正面図であり、図７（Ｂ）は図７（Ａ）のVII−VII線断面図である。
【図８】図８は本発明の実施形態に係るヘアードライヤーにおける風圧の時間変化を模式的に示すグラフ図である。
【発明を実施するための形態】
【００１５】
以下、図面を参照して、本発明の実施形態について詳しく説明する。図１は、本実施形態に係るヘアードライヤー１の例を示す側面図である。また、図２（Ａ）、図２（Ｂ）、図３（Ａ）、図３（Ｂ）はヘアードライヤー１を拡散モードとした場合のノズル２０の外観または内部構造を示す概略図である。そして、図４（Ａ）、図４（Ｂ）、図５（Ａ）、図５（Ｂ）はヘアードライヤー１を集風モードとした場合のノズル２０の外観または内部構造を示す概略図である。なお、説明の便宜上、各図において矢印方向でヘアードライヤー１およびノズル２０の前後方向および上下方向を示す。また、実施形態を説明するための全図において、同一の機能を有する部材には同一の符号を付し、その繰り返しの説明は省略する場合がある。
【００１６】
本実施形態に係るヘアードライヤー１は、図１に示すように、ハウジング１１の下部にグリップ１２が折り畳み可能に取付けられ、ハウジング１１の後部に空気（外気）を取り込む吸入口１４が設けられ、ハウジング１１の前部に当該取り込んだ空気を送出する送出口１５が設けられている。これによって、ハウジング１１内に当該空気が流通する筒状の通風路が形成される。
【００１７】
ここで、送出口１５には、ノズル２０が設けられている。すなわち、送出口１５から送出される空気は、ノズル２０内を通過し、ノズル２０の先端から送出されて使用者の毛髪へと到達する。一例として、ノズル２０は、図２から図５に示すような回転対称の筒状をなし、送出口１５に対して着脱可能に形成されている。ただし、この形状に限定されるものではない。また、送出口１５に対して着脱不能に固定される構成、あるいは、本体と一体に形成される構成等としてもよい。このノズル２０によって、後述のように送出する空気の流れを制御する作用が得られる。
【００１８】
ハウジング１１の通風路内部には、外気を吸入口１４から当該通風路１５内に取り込むと共に送出口１５へ向けて送風し、ノズル２０から温風（もしくは冷風）として送出させるように空気の流れを生じさせるファン、および当該ファンを回転駆動するモーターが設けられている。なおモーターの回転速度は前記グリップ１２に設けたスイッチ１３の切換えにより、例えば高速と低速とに切換えが可能に設定されている（不図示）。
【００１９】
また、ハウジング１１の通風路内部には、前記ファンの駆動によって発生する空気の流通方向における下流側に、当該通風路内に取り込まれた空気を加熱するヒーターが設けられている（不図示）。一例として、ヒーターは電熱線を用いて構成されており、これにより、温風を生成することが可能となる。なお、ヒーターに通電させないことによって、取り込まれた外気の温度のままの風を送出する冷風モードを設けてもよい。なお、ハウジング１１の通風路内部には、マイナスイオンを発生させる公知のイオン発生手段を設ける構成としてもよい（不図示）。
【００２０】
ここで、本実施形態に特徴的なノズル２０の構成について詳しく説明する。図２から図５に示すように、ノズル２０は、送出口１５に装着される外筒部２１と外筒部２１に接続されるシャッタ部２２から構成される。一例として、ノズル２０は、耐熱性を有するポリカーボネイト等の樹脂材料を用いて形成される。ただし、この材料に限定されるものではない。
【００２１】
外筒部２１は、先端に第１の開口２３が形成された第１のテーパー部２４を有する。第１のテーパー部２４には、第１の開口２３を囲むように周方向に所定間隔で第１の穴２４ａが形成されている。一例として、第１の穴２４ａは、半楕円形状をなし、回転対称となる位置に合計８つ配される。ただし、この形状に限定されるものではない。
【００２２】
シャッタ部２２は、先端に第２の開口２６が形成された第２のテーパー部２７を有する。第２のテーパー部２７には、第２の開口２６を囲むように所定間隔で第２の穴２７ａが形成されている。一例として、第２の穴２７ａは、第１の穴２４ａと相似形の半楕円形状をなし、回転対称となる位置に合計８つ配される。ただし、この形状に限定されるものではない。また、第２のテーパー部２７の後端部には、第１のテーパー部２４を囲む位置に操作リング３０が設けられている。操作リング３０は、外筒部２１に沿って周方向に回動可能に、外嵌されている。一例として、操作リング３０の内壁に形成された突起と、外筒部２１の外周に形成された係止溝に嵌合されている（不図示）。ただし、この形状に限定されるものではない。
【００２３】
シャッタ部２２には、第２のテーパー部２７の内壁に周方向に所定間隔で、第２の開口２６に通じる流路２９が形成されている。一例として、第２の穴２７ａと流路２９とは、交互に配される。
【００２４】
一例として、流路２９は、溝状に形成されており、回転対称となる位置に合計８つ配される。流路２９を溝状とすることで、後述のビート風を発生させることができる。
【００２５】
図２（Ｂ）、図３（Ｂ）に示すように、第２の穴２７ａが開通して流路２９が塞がる位置となった場合を拡散モードとする。また、図４（Ｂ）、図５（Ｂ）に示すように、流路２９が開通して第２の穴２７ａが塞がる位置となった場合を集風モードとする。ここでは、操作リング３０を所定位置まで回動させて、集風モード、または拡散モードに切り替える構成となっている。
【００２６】
一例として、第２の穴２７ａと溝状の流路２９はいずれも、操作リング３０の内壁に延設している。この構成によって、図２（Ｂ）、図３（Ｂ）に示す拡散モードでは、第１の穴２４ａと第２の穴２７ａとを重ね合わせて、流路２９と第１のテーパー部２４における壁部２４ｂ（図中に点線で囲んだエリアで示す）とを重ね合わせる構成が可能となる。また、図４（Ｂ）、図５（Ｂ）に示す集風モードでは、第１の穴２４ａと第１のテーパー部２４とを重ね合わせて、流路２９と第２の穴２７ａとを重ね合わせる構成が可能となる。
【００２７】
図３（Ｂ）は、空気の流れを模式的に矢印で表している。図３（Ｂ）に示す拡散モードでは、ノズル入口２１ａに入る風ｓ１の一部は、第１のテーパー部２４の内壁に沿うようにして集風され、第１の開口２３を通過し、第２の開口２６からの送出風ｓ１０となる。また、ノズル入口２１ａに入る風ｓ１の他の一部は、第１のテーパー部２４の内壁に沿うようにして集風され、第１の穴２４ａと第２の穴２７ａを通過し、第２の穴２７ａからの送出風ｓ１１となる。第２の開口２６を囲むように所定間隔で第２の穴２７ａが形成されているため、第２の穴２７ａからの送出風ｓ１１は拡散する。拡散モードでのノズル２０からの送出風ｓ２は、第２の開口２６からの送出風ｓ１０と、第２の穴２７ａからの送出風ｓ１１とが合成された風となる。拡散モードは、温風温度が比較的低いため、外気温が高い場合に毛髪全体を乾燥させるのに好適である。
【００２８】
図５（Ｂ）は、空気の流れを模式的に矢印で表している。図５（Ｂ）に示す集風モードでは、ノズル入口２１ａに入る風ｓ１の一部は、第１のテーパー部２４の内壁に沿うようにして集風され、第１の開口２３を通過し、第２の開口２６からの送出風（第一の風）ｓ１０となる。また、ノズル入口２１ａに入る風ｓ１の他の一部は、第１のテーパー部２４の内壁に沿うようにして集風され、第１の穴２４ａと溝状の流路２９を通過し、第２の開口２６からの送出風（第二の風）ｓ１２となる。集風モードでのノズル２０からの送出風ｓ３は、第２の開口２６からの第一の風ｓ１０と、第２の開口２６からの第二の風ｓ１２が合成された風となる。
【００２９】
ここで、第二の風ｓ１２は、第１の穴２４ａと溝状の流路２９を通過するに際し、構造上、流路２９内に一定量の風が滞留するバッファー機能を有しており、後続の送出風に押し出されることによる圧力が一定以上となったときに第二の風ｓ１２として第２の開口２６へ向けて送出され、当該第二の風ｓ１２が一定の間隔を空けて送出される。なお、溝状の流路２９のサイズを調節することで、流路２９内に滞留する風の量を増減することが可能である。
【００３０】
図８は、ヘアードライヤー１における風圧の時間変化を模式的に示すグラフ図である。縦軸は風圧Ｐであり、横軸は時間Ｔである。破線は拡散モードでのノズル２０からの送出風ｓ２であり、実線は集風モードでのノズル２０からの送出風ｓ３である。拡散モードでのノズル２０からの送出風ｓ２は、所定時間で所定圧力となって一定の風圧で送出される。一方、集風モードでのノズル２０からの送出風ｓ３は、流路２９内に一定量の風が滞留することから、初期的には、送出風ｓ２よりも低い圧力となる。流路２９内に滞留する風は、第２の開口２６の圧力が低いときに後続の送出風に押し出される形で第二の風ｓ１２として送出される。第二の風ｓ１２が送出されると第２の開口２６の風圧が高くなる。第２の開口２６の風圧が高くなると、流路２９内に一定量の風が滞留する。つまり、第２の開口２６の風圧の変動が周期的に起こる。この繰り返しによって、脈動する風である「ビート風」が生じる。第二の風ｓ１２が一定の間隔を空けて送出されることで、髪をなびかせる（髪を揺らす）作用が得られる。よって、ヘアードライヤー１の本体を激しく振って風を毛髪全体に当てる動作を行わなくとも、毛髪全体を乾燥させることが可能となる。集風モードは、温風温度が比較的高いため、外気温が低い場合に毛髪全体を乾燥させるのに好適である。
【００３１】
図４（Ｂ）、図５（Ｂ）に示すように、一例として、流路２９は、第２のテーパー部２７の内壁に周方向に合流部２７ｃが形成されている。この構成によって、第二の風ｓ１２が周方向に繋がるため、「ビート風」が安定して送出される。
【００３２】
図４（Ａ）、図５（Ａ）に示すように、一例として、第２のテーパー部２７の先端はストレート形状の筒部２７ｂが形成される。この構成によって、第一の風ｓ１０と第二の風ｓ１２とが同時に押し出されるため、「ビート風」が安定して送出される。
【００３３】
ここで、図６、図７（Ａ）、図７（Ｂ）は、図１に示すヘアードライヤー１のノズル２０の変形例を示す概略図である。この変形例では、円筒形状のフード４０が、操作リング３０に、外嵌される。フード４０は、回転対称の筒状をなし、第２の開口２６及び第２の穴２７ａを囲む位置に配されている。一例として、フード４０の出口４１は、第２の開口２６よりも前方に配される。この構成によって、ノズル２０からの送出風を制御する構成が可能となる。また、拡散モードでの第２の穴２７ａからの送出風ｓ１１が外からの風の影響を受け難くなり、集風モードでの第２の開口２６からの第二の風ｓ１２が外からの風の影響を受け難くなる。なお、この形状に限定されるものではない。
【００３４】
上述した実施形態のノズル２０は、外筒部２１とシャッタ部２２という極めて少ない部品点数で構成されており、構造の簡素化、ならびに、部品コストおよび組立コストの低減を可能としている。
【００３５】
このように、年間を通して、一つのノズルで、毛髪全体を乾燥させることが短時間かつ容易となり、好みに合った乾燥モードがワンタッチで切り替え可能な構成となる。
【００３６】
なお、本発明は、以上説明した実施例に限定されることなく、本発明を逸脱しない範囲において種々変更が可能である。
【００３７】
例えば、操作リングを周方向に回動させることで、第２の穴が開通して溝状の流路が塞がる位置、溝状の流路が開通して第２の穴が塞がる位置、さらに、溝状の流路が塞がって第２の穴が塞がる位置、それぞれに切り替える構成等としてもよい。
【００３８】
また、第２の穴が開通して溝状の流路が塞がる位置、溝状の流路が開通して第２の穴が塞がる位置の調整は二段階調整の構成に限定されず、多段階調整、無段階調整の構成等としてもよい。
【００３９】
また、フードは回転対称の形状に限定されず、上下に非対称な形状等としてもよい。そして、フードの長さ、出口の大きさは任意の形状に設計可能である。
【符号の説明】
【００４０】
１  ヘアードライヤー
１１  ハウジング
１２  グリップ
１４  吸入口
１５  送出口
２０  ノズル
２１  外筒部
２２  シャッタ部
２３  第１の開口
２４  第１のテーパー部
２４ａ  第１の穴
２４ｂ  壁部
２６  第２の開口
２７  第２のテーパー部
２７ａ  第２の穴
２７ｂ  筒部
２７ｃ  合流部
２９  流路（溝状の流路）
３０  操作リング
４０  フード
ｓ１  ノズルに入る風
ｓ２  拡散モードでのノズルからの送出風
ｓ３  集風モードでのノズルからの送出風
ｓ１０  第２の開口からの送出風（第一の風）
ｓ１１  第２の穴からの送出風
ｓ１２  第２の開口からの送出風（第二の風）
【図１】
2018175575.tif 000003
【図２】
2018175575.tif 000004
【図３】
2018175575.tif 000005
【図４】
2018175575.tif 000006
【図５】
2018175575.tif 000007
【図６】
2018175575.tif 000008
【図７】
2018175575.tif 000009
【図８】
2018175575.tif 000010